(57)【要約】【課題】使い勝手の良い天面部に加熱ヒーターの火力調節等の操作部を設けるとともに、それぞれの操作ボタン自身を発光させることにより視認性を著しく向上させ、さらに操作可能な操作ボタンのみを照明することで使用者に知らしめるようにすることで、使い勝手のさらなる向上を図ることができるとともに、デザイン的にも優れること。【解決手段】トッププレート４１前方に設けた操作領域４１Ｄの裏面には、各表示と枠を抜いた遮光性の導電体検知部が塗布され、抜き部で枠体を形成することで面状発光体により発光したときに操作ボタンとして認知されるようにした構成とする。【選択図】図１
2010091189.tif 000002
【特許請求の範囲】
【請求項１】
筐体の上面に設けた電気絶縁性を有する板状部材のトッププレートと、被加熱物を加熱する加熱部と、前記加熱部を制御する制御部と、前記トッププレートの上面に設定した操作領域と、前記トッププレートの裏面の前記操作領域内に設けた複数個の導電体検知部と、前記導電体検知部と繋がって設けた導電体接続部と、前記導電体接続部に接触し前記導電体検知部と前記制御部とを電気接続する接続端子と、前記接続端子を保持して、前記制御部に設けた端子ホルダーと、発光素子を設けた発光基板と、縦壁と天面が略Ｌ字形状に形成して、前記縦壁の端部には入光部を設けるとともに天面には面状発光部を設けた導光体と、前記導光体と近接して略Ｌ字形状の保護枠と、前記保護枠の前記面状発光部の部分に設けた開口部と、前記保持枠の前記縦壁に設けた係止部と、略Ｌ字形状の反射シートを設け、前記導光体の前記天面の上面側と前記縦壁の一方の面は保護枠と接触し、前記導光板の前記縦壁の前記保護枠と接触しない面には前記発光基板を設け、前記導光体の前記天面の下面側、及び前記縦壁の前記保護枠と接触しない側の前記発光基板には反射シートを設けた構成によるバックライトユニットを構成して、前記バックライトユニットの前記保護枠の前記係止部は前記端子ホルダーに勘合して固定される構成の加熱調理器。
【請求項２】
導光体の天面の面状発光部の上部には拡散シートを設けて、保護枠の開口部に取り付けた構成の請求項１に記載の加熱調理器。
【請求項３】
導光板の天面部の下面側に面状発光部を設けて、前記天面の前記面状発光部に相対する上面に拡散シートを設けて、保護枠の開口部に取り付けた構成の請求項１に記載の加熱調理器。
【請求項４】
複数の導光体は異色にて形成して、保護枠に取り付けて、発光させる請求項１〜３のいずれか１項に記載の加熱調理器。
【請求項５】
複数の発光体は異色にて設けて、保護枠に取り付けて、発光させる請求項１〜３のいずれか１項に記載の加熱調理器。
【請求項６】
複数の拡散シートは異色のフィルターを挟むことにより任意の枠体（操作ボタン）を異色にて発光させる請求項１〜３のいずれか１項に記載の加熱調理器。
【発明の詳細な説明】
【技術分野】
【０００１】
本発明は、加熱調理器に関するものである。
【背景技術】
【０００２】
従来、この種の誘導加熱調理器などの加熱調理器では、複数のヒーターや誘導加熱コイル、インバータ回路及びインバータ回路の制御部等を収納する筐体の上部に、耐熱ガラス製のトッププレートが設けられている。加熱調理器の使用者は、加熱調理をする調理容器をこのトッププレートの例えば円で示されている所定位置に置く。一般的な製品では３つの調理容器を同時に加熱できるように３つの所定位置がそれぞれの円で示されている。加熱調理器の電源の「入」、「切」、加熱熱量の調節等の使用者が操作するスイッチ類、及び使用状態を表示する表示灯や表示体は、筐体の前面（使用者に対向する面）に設けられた操作パネルに取り付けられている。操作パネルは、筐体の前面のトッププレートに垂直な面に固定された固定式のものがある。固定式の操作パネルはトッププレートに垂直でありかつトッププレートより下にあるので、操作パネル上のスイッチ類を操作したり表示を確認したりするとき、使用者は上体を曲げて操作パネルをのぞき込む必要がある。このため操作性の点で課題があった。
【０００３】
前記固定式の操作パネルの改良型として、回転可能な小型の箱に操作パネルを取り付けて筐体の前部に組込んだ回転収納型の操作パネルがある。この回転収納型の操作パネルは、必要時には前方に繰り出し不要時には筐体の奥へ収納するので、収納時には使用者の邪魔にならない点で優れている。しかし、使用時には前方に突出しているので邪魔になることもある。そこで使用者は、加熱調理中必要なときだけ回転収納型パネルを引出して操作し、操作が終ると直ちに収納するという使い方をするようになる。このような使い方は繁雑であり、この方式の操作パネルも操作性の点で課題があった。
【０００４】
上記の課題を解決するために、操作スイッチ及び表示体をトッププレートの使用者に近い端部領域（以下、トッププレートの前部という）に設け、操作可能な時に、操作スイッチ周囲をバックライト部で照明して、「操作可能な状態」を使用者に知らしめる使い勝手を向上させた先行技術が開示されている（例えば、特許文献１参照）。
【０００５】
この先行技術によれば、図２１、図２２に示すように、トッププレート１の前部の中央領域に上面操作部２が設けられ、上面操作部２は使用者が操作するためのトッププレート１に設けられた操作パッド３〜８を有する。筺体９側には、筺体９にトッププレート１を取り付けたとき上面操作部２に接続される操作回路部１０が設けられている。操作回路部１０は、加熱領域の動作状態を表示する表示部も備えている。筺体９内には、トッププレート２の下方に、加熱領域のそれぞれのラジエントヒーターや誘導加熱コイルなどの加熱体（加熱部）１１が配置されている。加熱体１１は、制御部１２によって制御されるインバータ部１３に接続されている。加熱体１１が誘導加熱コイルのときは、インバータ部１３から２０ｋＨｚから５０ｋＨｚの周波数の高周波電力が供給される。誘導加熱コイルを用いる場合、誘導加熱コイルはトッププレート１を介して鍋１４の下に配置されるので、加熱領域と操作領域を同一面にすることができる。そのためトッププレート面の掃除がしやすいなど、操作性が向上して誤操作をするおそれの少ない加熱調理器が得られる。操作回路部１０は制御部１２に接続され、使用者の操作による信号が制御部１２に印加される。また、制御部１２からは、加熱領域の動作状態を示す表示信号が操作回路部１０の表示部に印加される。
【０００６】
トッププレート１の加熱領域にはそれぞれ、鍋１４の温度を検出する温度センサ１５及
び鍋１４の有無を検出する鍋検出器１６が設けられて、それぞれ制御部１２に接続されている。制御部１２及びインバータ部１３は、例えばＡＣ２００Ｖの交流電源に接続され交流電力が供給される。
【０００７】
操作パッド３、４、５、６、７、８は、トッププレート１の上面１Ａに設けた導電性の膜である。操作パッド３〜８は、使用者が加熱領域の加熱体１１（加熱体は２箇所：断面図のため図示せず）を操作するために手指で触れる領域であるので「操作領域」という。操作パッド３〜８は、例えば導電性インクや塗料の塗布膜又はスクリーン印刷膜、あるいは金属の蒸着膜などの導電性の膜で形成され、色の異なるインクや塗料で三角印、丸印、切／入の文字が印刷されている。操作パッド３〜５は左側の加熱領域の切／入と火力調節の操作を行うためのものであり、操作パッド６〜８は右側の加熱領域の切／入と火力調節の操作を行うためのものである。操作パッド４、７は加熱領域による加熱を開始させるための「切／入」スイッチである。
【０００８】
トッププレート１には、操作パッド３〜５を囲む２つの半円と４つの棒状の領域からなる透明部１７と、同様に操作パッド６〜８を囲む同様の透明部１８がある。透明部１７及び１８の上部にも長方形の透明部１９があり、火力等をＬＥＤ等で表示する。
【０００９】
接続部２０〜２５は、それぞれの接続導線２０Ａ〜２５Ａを経て検知部２６〜３１に接続されている。検知部２６〜３１、接続導線２０Ａ〜２５Ａ及び接続部２０〜２５は、それぞれトッププレート１の下面１Ｂに形成した導電性膜であり、導電性塗料の塗布膜又はスクリーン印刷膜、又は金属の蒸着膜で形成されている。
【００１０】
各操作パッド下方には、照明光を上方に放射するバックライト部３２、３３を備えている。筺体９とトッププレート１とを組み合わせたとき、バックライト部３２は透明部１７に重なり、バックライト部３３は透明部１８に重なる。バックライト部３２、３３はそれぞれ加熱領域が「操作可能な状態」になっているとき点灯し、操作パッド３〜５、及び操作パッド６〜８の周囲を照明する。これにより、加熱領域が「操作可能な状態」になっていることを使用者に知らせる。
【特許文献１】特開２００３−２７２８１６号公報
【発明の開示】
【発明が解決しようとする課題】
【００１１】
しかしながら、前記従来の構成では、加熱領域「操作可能な状態」として、使用者に知らしめる為に、操作パッド３〜８の周囲をバックライト３２、３３にて照明するため、発光している透明部１７および１８が目立ち、操作パッド３〜８面との照度差により、操作パッド３〜８面の切／入等の文字が見えにくくなる上に、接続部２０〜２５と検知部２６〜３１を接続する接続導線２０Ａ〜２５Ａが透明部１７、１８を横切るため、発光している透明部１７、１８が分断され、デザイン的にも後退するという課題を有していた。
【００１２】
本発明は、前記従来の課題を解決するもので、使い勝手の良い天面部に加熱ヒーターの火力調節等の操作部を設けるとともに、それぞれの操作ボタン自身を発光させることにより視認性を著しく向上させ、さらに操作可能な操作ボタンのみを照明することで使用者に知らしめるようにすることで、使い勝手のさらなる向上を図ることができるとともに、デザイン的にも優れた加熱調理器を提供することを目的とする。
【００１３】
また調理器の操作部の薄いスペースに安定した輝度の発光部を安価に設けた加熱調理器を提供することを目的とする。
【課題を解決するための手段】
【００１４】
前記従来の課題を解決するために、本発明の加熱調理器は、筐体の上面に設けた電気絶縁性を有する板状部材のトッププレートと、被加熱物を加熱する加熱部と、前記加熱部を制御する制御部と、前記トッププレートの上面に設定した操作領域と、前記トッププレートの裏面の前記操作領域内に設けた複数個の導電体検知部と、前記導電体検知部と繋がって設けた導電体接続部と、前記導電体接続部に接触し前記導電体検知部と前記制御部とを電気接続する接続端子と、前記接続端子を保持して、前記制御部に設けた端子ホルダーと、発光素子を設けた発光基板と、縦壁と天面が略Ｌ字形状に形成して、前記縦壁の端部には入光部を設けるとともに天面には面状発光部を設けた導光体と、前記導光体と近接して略Ｌ字形状の保護枠と、前記保護枠の前記面状発光部の部分に設けた開口部と、前記保持枠の前記縦壁に設けた係止部と、略Ｌ字形状の反射シートを設け、前記導光体の前記天面の上面側と前記縦壁の一方の面は保護枠と接触し、前記導光板の前記縦壁の前記保護枠と接触しない面には前記発光基板を設け、前記導光体の前記天面の下面側、及び前記縦壁の前記保護枠と接触しない側の前記発光基板には反射シートを設けた構成によるバックライトユニットを構成して、前記バックライトユニットの前記保護枠の前記係止部は前記端子ホルダーに勘合して固定される構成としたものである。
【００１５】
これによって、それぞれの操作ボタンはそれ自身が発光しているので視認性が著しく向上し、使い勝手のさらなる向上を図ることができるものとなる。
【発明の効果】
【００１６】
本発明の加熱調理器は、使い勝手のさらなる向上を図ることができるとともに、デザイン的にも優れたものにすることができる。
【発明を実施するための最良の形態】
【００１７】
第１の発明は、筐体の上面に設けた電気絶縁性を有する板状部材のトッププレートと、被加熱物を加熱する加熱部と、前記加熱部を制御する制御部と、前記トッププレートの上面に設定した操作領域と、前記トッププレートの裏面の前記操作領域内に設けた複数個の導電体検知部と、前記導電体検知部と繋がって設けた導電体接続部と、前記導電体接続部に接触し前記導電体検知部と前記制御部とを電気接続する接続端子と、前記接続端子を保持して、前記制御部に設けた端子ホルダーと、発光素子を設けた発光基板と、縦壁と天面が略Ｌ字形状に形成して、前記縦壁の端部には入光部を設けるとともに天面には面状発光部を設けた導光体と、前記導光体と近接して略Ｌ字形状の保護枠と、前記保護枠の前記面状発光部の部分に設けた開口部と、前記保持枠の前記縦壁に設けた係止部と、略Ｌ字形状の反射シートを設け、前記導光体の前記天面の上面側と前記縦壁の一方の面は保護枠と接触し、前記導光板の前記縦壁の前記保護枠と接触しない面には前記発光基板を設け、前記導光体の前記天面の下面側、及び前記縦壁の前記保護枠と接触しない側の前記発光基板には反射シートを設けた構成によるバックライトユニットを構成して、前記バックライトユニットの前記保護枠の前記係止部は前記端子ホルダーに勘合して固定される構成により、発光素子からの光は、一体化された１つの導光体を通して安定した輝度の点灯表示をトッププレートの表示部に表示することができるものである。
【００１８】
第２の発明は、導光体の天面の面状発光部の上部には拡散シートを設けて、保護枠の開口部に取り付けた構成により、反射シートの反射性能が優れなくても光は拡散シートが拡散して発光させることができるので、光ムラを抑えることができる。
【００１９】
また、導光体の上方のトッププレート上に熱いフライパン等が置かれても拡散シートで遮熱されるため、高熱が導光体に伝わるのを防止できるので、導光体は耐熱温度の低い材料を使用でき、材料費をさげることができる。
【００２０】
第３の発明は、導光板の天面部の下面側に面状発光部を設けて、前記天面の前記面状発
光部に相対する上面には拡散シートを設けて、保護枠の開口部に取り付けた構成により、反射シートの反射性能が低い材料でも光は拡散シートが拡散して発光させることができるので、光ムラを抑えることができる。
【００２１】
第４の発明は、複数の導光体は異色にて形成して、保護枠に取り付けて、発光させることで、重要な操作ボタン（例えば、『切／スタート』ボタン）の色を変えることで、使用者がよりわかりやすく認識することができ、操作性の大幅な向上が図れるものである。
【００２２】
第５の発明は、複数の発光体は異色にて設けて、保護枠に取り付けて、発光させることで、重要な操作ボタン（例えば、『切／スタート』ボタン）の色を変えることで、使用者がよりわかりやすく認識することができ、操作性の大幅な向上が図れるものである。
【００２３】
第６の発明は複数の拡散シートは異色のフィルターを挟むことにより任意の枠体（操作ボタン）を異色にて発光させることで、重要な操作ボタン（例えば、『切／スタート』ボタン）の色を変えることで、使用者がよりわかりやすく認識することができ、操作性の大幅な向上が図れるものである。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における加熱調理器である誘導加熱調理器の外観斜視図を示すものである。
【００２６】
本実施の形態に係る誘導加熱調理器は図１に示されるように、機器上面に調理容器を載置するトッププレートユニット４１には調理容器の底面を加熱するため３つの加熱部４１Ａ、４１Ｂ、４１Ｃと上面操作部４１Ｄが設けられている。機器前面には、出没式の前面操作部４２、電源スイッチ４２Ａ、及びグリル扉４３が設けられている。出没式操作部４２は、カンガルー式のもので図１において収納された状態を示している。
【００２７】
図１の状態で、出没式操作部４２のパネルの上方を押すことにより手前に回転して複数の操作キーが配設された操作面（図示せず）が現れる。グリル扉４３は、機器内部に収納された生魚などを入れて焼くためのグリル（図示せず）開閉用の扉である。
【００２８】
食材を調理容器（図示せず）に入れて本実施の形態に係る誘導加熱調理器で調理するに際し、調理容器（図示せず）を、加熱部４１Ａ、４１Ｂ又は４１Ｃに載置して誘導加熱調理器の電源スイッチ４２を投入する。
【００２９】
さらに、上面操作部４１Ｄ又は前面操作部４２を操作して加熱開始が指示されると、制御手段（図示せず）はインバータ電源（図示せず）を介して加熱コイル（図示せず）に高周波電流を供給する。加熱コイルに高周波電流が供給されると、加熱コイルは交流磁界を発生し、調理容器は誘導加熱されることによって温度が上昇する。ここで加熱部４１Ａ、及び４１Ｂの操作は上面操作部４１Ｄで行い、加熱部４１Ｃとグリル扉４３の奥のオーブンの操作は前面操作部４２で行うが、それに限定されるものではなく、加熱部４１Ｃ及びオーブンの操作を上面操作部４１Ｄで行うことも同様に構成することはできる。
【００３０】
次に、図２〜図１７を参照して、本実施の形態に係る誘導加熱調理器の構造について説明する。
【００３１】
図２は、本発明の第１の実施の形態における誘導加熱調理器のトッププレートユニット
４１の平面図を示すもので、上面操作部４１Ｄには操作ボタンの表示を点灯させた状態を示す。
【００３２】
ここで、上面操作部４１Ｄは透過性を有した印刷を施し、トッププレートの下方から照射させると光を透過するように施している。
【００３３】
図３は、本発明の第１の実施の形態における誘導加熱調理器のトッププレートユニット４１の裏面図を示すもので、図４は、本発明の第１の実施の形態における誘導加熱調理器のトッププレートユニット４１の裏面の要部拡大裏面図を示すものである。
【００３４】
図４において、トッププレート４１の上面操作部４１Ｄの裏面には各操作ボタンを表示させるための複数の電極印刷４５が施されている。上面操作部４１Ｄの複数の電極印刷４５部以外は、光を遮る印刷を施している。電極印刷４５は接触部４５Ａと、導伝部４５Ｂ及び４５Ｃと、感触部４５Ｄと、印刷抜きの枠部４５Ｅと、文字部４５Ｆとから成っている。
【００３５】
ここで、電極印刷を施した接触部４５Ａと導伝部４５Ｂ及び４５Ｃと感触部４５Ｄは光を透過せず、印刷抜きの枠部４５Ｅと文字部４５Ｆは光を透過するようにしている。これにより、光は印刷抜きの枠部４５Ｅと文字部４５Ｆだけを透過することで、光らせると操作ボタンの表示をするようになっている。
【００３６】
また、感触部４５Ｄの上方のトッププレートの上面を指で触ると導伝部４５Ｂ及び４５Ｃで接触部４５Ａに繋がっており、接触部４５Ａの静電容量の電圧値が変化する。
【００３７】
図５は、本発明の第１の実施の形態における誘導加熱調理器のトッププレートユニット４１を外した本体の斜視図を示すもので、外郭４６内に、加熱コイル４７Ａ、４７Ｂ及び４７Ｃがあり、加熱コイル４７Ａ及び４７Ｂの手前には操作部ユニット４８が取り付けられた構成である。
【００３８】
上面操作部４１Ｄと操作部ユニット４８、及び前面操作部４２を操作して加熱開始が指示されると、制御手段（図示せず）はインバータ電源（図示せず）を介して加熱コイル４７Ａ、４７Ｂ及び４７Ｃに高周波電流を供給する。加熱コイルに高周波電流が供給されると、加熱コイルは交流磁界を発生し、調理容器は誘導加熱されることによって温度が上昇する。
【００３９】
図６は、本発明の第１の実施の形態における誘導加熱調理器の操作部ユニット４８の斜視図を示すもので、図７は、本発明の第１の実施の形態における誘導加熱調理器の操作部ユニット４８で表示シート４９Ａ、４９Ｂ及び４９Ｃと、バックライトユニット５０を外した斜視図を示すものである。
【００４０】
図７において、操作部ユニット４８は、操作部ケース５１と、操作部ケース５１に配設される表示基板５２Ａ及び５２Ｂと、表示基板５２Ａ及び５２Ｂに取り付けられるホルダー５３Ａ、５３Ｂ及び５３Ｃと、ホルダー５３Ａ及び５３Ｂに保持されながら表示基板５２Ａ及び５２Ｂに取り付けた複数個の接点端子５４と、ホルダー５３Ａ及び５３Ｂに爪勘合で装着するバックライトユニット５０と、ホルダー５３Ａ、５３Ｂ及び５３Ｃに接着された表示シート４９Ａ、４９Ｂ及び４９Ｃとを構成している。
【００４１】
ここで操作部ユニット４８は誘導加熱される際に火力表示を行う複数のＬＥＤ（図示せず）が表示基板５２Ａ及び５２Ｂに取り付けられ、ホルダー５３Ａ及び５３Ｂで囲われて、ホルダー５３Ａ及び５３Ｂの上面には表示シート４９Ａ、４９Ｂで覆われて、火力表示
を行うようになっている。
【００４２】
各接点端子５４の先端はトッププレートの電極印刷４５の接触部４５Ａに接触しており、接触部４５Ａの静電容量の電圧値が変化すると、バックライトユニット５０の点灯／消灯を変化するようになっている。
【００４３】
図８は、本発明の第１の実施の形態における表示基板５２Ａに取り付けられるホルダー５３Ａ及び複数個の接点端子５４と、ホルダー５３Ａに爪勘合でバックライトユニット５０が装着した状態を示すもので、図９は、本発明の第１の実施の形態におけるバックライトユニット５０がホルダー５３Ａから外れた状態を示すものである。
【００４４】
図８及び図９において、バックライトユニット５０をホルダー５３Ａに取り付ける際には、ホルダー５３Ａに設けたボス５３Ａ−１がバックライトユニットの穴５０−１に挿入されて、ホルダー５３Ａの係り止め用の爪イ５３Ａ−２とバックライトユニット５０の係り止め用の爪ロ５０−２が噛み合い、固定している。ここで、ホルダー５３Ａの係り止め用の爪イ５３Ａ−２とバックライトユニット５０の係り止め用の爪ロ５０−２をたわませると、バックライトユニット５０をホルダー５３Ａから容易に外すことができる。
【００４５】
図１０及び図１１は、本発明の第１の実施の形態におけるバックライトユニット５０の上方及び下方からの斜視図を示すものであり、図１２は、本発明の第１の実施の形態におけるバックライトユニット５０を構成する部品を別々にした斜視図を示すものであり、図１３は、本発明の第１の実施の形態におけるバックライトユニット５０で保護枠５５だけを外した状態を示したものである。
【００４６】
図１０〜図１３において、バックライトユニット５０は保護枠５５に取り付けられる大きさの異なった導光体５６Ａ及び５６Ｂと、発光素子５７Ａを設けた発光基板５７と、略Ｌ字形状の反射シート５８とを設けた構成にしている。
【００４７】
導光体５６Ａは縦壁５６А−１と斜面５６Ａ−２と天面部５６А−３から形成している。導光体５６Ｂも導光体５６Ａと同様に縦壁５６Ｂ−１と斜面５６Ｂ−２と天面部５６Ｂ−３から形成している。ただし、複数の縦壁５６Ｂ−１を合わせた構成になっているが、光の進行は導光体５６Ａと同様である。また天面部５６Ａ−１と天面ＢＵ５６Ｂ−１には面状発光部５９が施してある。
【００４８】
ここで、発光素子５７Ａは縦壁５６А−１及び５６Ｂ−１に接触、又は近接させている。
【００４９】
保護枠５５には複数の開口部が設けてあり、この開口部に面状発光部５９が合うように導光体５６Ａ及び５６Ｂが保護枠５５に取り付けられている。そして、発光素子５７Ａは縦壁５６А−１及び５６Ｂ−１に接触、又は近接するように、発光基板５７が保持枠５５に取り付けられている。また発光基板５７は保護枠５５の爪ハ５５−３で係り止めが設けてある。
【００５０】
図１４は、本発明の第１の実施の形態におけるバックライトユニット５０の断面図である。図１５は、本発明の第１の実施の形態におけるバックライトユニット５０の部分断面図であり、発光素子５７Ａからの光が導光体５６Ａの内部を進む方向を描いている。
【００５１】
以上のように構成された加熱調理器について、以下その動作、作用を説明する。
【００５２】
まず、誘導加熱調理器の電源スイッチ４２を押すと、バックライトユニット５０が点灯
してトッププレートの裏面に設けた電極印刷４５の印刷抜きの枠部４５Ｅと文字部４５Ｆにより、操作ボタンが形成されて点灯する。
【００５３】
点灯されて表示されている操作ボタンのところのトッププレートの上面を指で触ると、その操作ボタンのトッププレートの下面の感触部４５Ｄの静電容量の電圧値が変化して、感触部４５Ｄと繋がる導伝部４５Ｂ及び４５Ｃを介して接触部４５Ａも電圧値が変化する。そして接触部４５Ａに接触する接点端子５４を介して、表示基板５２Ａ及び５２Ｂにも操作ボタンを触ったことの信号が伝わるようになっていて、発光素子５７Ａや火力表示を行う複数のＬＥＤ（図示せず）の点灯／消灯や、加熱コイルへの誘導加熱の制御を行うことができる。
【００５４】
ここで、バックライトユニットは接着やネジ締め等の固着なしでホルダーに装着することができて、組立性の向上や製作コストの低下をすることができる。
【００５５】
また、バックライトユニットは発光素子を含めた発光基板と導光体を一体にしていることで、導光体の縦壁の入光部と発光素子の距離を近づけて、距離のバラツキを無くすことができるので各導光体の輝度を一定にすることができる。
【００５６】
また、発光素子の光が導光体の縦壁の内部を入光して、斜面により反射され、天面部で面状を形成する発光部で屈折した光は反射シートにより反射されて、トッププレート上を上方に光らせることができるが、導光体の天面部と反射シートも一体で構成しているので、天面部と反射シートは均一に接触しているので、光ムラが発生することも防げて輝度を一定にすることができ、操作ボタンを均一に点灯させることができる。
【００５７】
更に、複数の発光素子で一部だけの色を変えることで、その操作ボタンの認知性を高めることができ、例えば『切／スタート』ボタンが最も認知しやすくして安全性をあげることもできる。
【００５８】
また、複数の発光素子で色の区別をするほかに、複数の導光体で一部の色を変えて成形することでも同様の効果を得ることができる。
【００５９】
（実施の形態２）
図１６〜図１８は、本発明の第２の実施の形態の加熱調理器である誘導加熱式調理器のバックライトユニットの斜視図および断面図を示すものである。
【００６０】
図１６は、本発明の第２の実施の形態におけるバックライトユニット６０を構成する部品を別々にした斜視図であり、保護枠６１と、保護枠６１に取り付けられる大きさの異なった導光体６２Ａ及び６２Ｂと、導光体６２Ａ及び６２Ｂの天面部に設けた面状発光部６３Ａ及び６３Ｂと、面状発光部６３Ａ及び６３Ｂの上に載置して保護枠６１に取り付けられる拡散シート６４Ａ及び６４Ｂと、発光基板６５と、略Ｌ字形状の反射シート６６とを設けた構成にしている。
【００６１】
図１７は、本発明の第２の実施の形態におけるバックライトユニット６０の断面図を示すものであり、図１８は、本発明の第２の実施の形態におけるバックライトユニット６０の部分断面図であり、発光素子６７からの光の進路を描いている。
【００６２】
この構成により、発光素子からの光が面状の発光部で屈折して反射シートで反射されるが、ここで反射シートの表面の粗さを均一にしないと単価は安くなるが、光ムラが発生した。
【００６３】
しかし、反射シートで反射された光は光ムラが発生しても導光体の上面に設けた拡散シートにより光ムラを無くすことができ、操作ボタンを均一に点灯させることができる。
【００６４】
また反射シートの粗さを粗くすることで単価を安くすることができる。
【００６５】
更に拡散シートの色を変えることで操作ボタンの認知性を変えることもできる。
【００６６】
（実施の形態３）
図１９及び図２０は、本発明の第３の実施の形態の加熱調理器である誘導加熱式調理器のバックライトユニットの断面図及び、要部断面図を示すものである。
【００６７】
図１９で、バックライトユニット７０は保護枠７１と、保護枠７１に取り付けられる導光体７２と、導光体７２の天面部の下面側に面状発光部７３と、導光体７２の天面部の上面に載置して保護枠７１に取り付けられる拡散シート７４と、発光基板７５と、略Ｌ字形状の反射シート７６とを設けた構成にしている。
【００６８】
図２０は、バックライトユニット７０の部分断面図であり、発光素子７６からの光の進路を描いている。
【００６９】
発光部を導光体の天面の下面側にすることで、反射シートでの反射がなくなり、光がギラギラときつい輝きになるが、拡散シートにより、輝度が緩和されて、見やすい表示を行うことができるとともに、反射シートのグレードを下げることができ、反射シートの単価を下げることができる。
【産業上の利用可能性】
【００７０】
以上のように、本発明にかかる加熱調理器は、操作ボタンの視認性の著しい向上が図れ、デザイン性および使い勝手の大幅な向上を図ることができるので、トッププレートに操作部を有する誘導加熱式ヒーターを含むあらゆる組み合わせの単体もしくは複合の調理器に適用できるものである。
【図面の簡単な説明】
【００７１】
【図１】本発明の第１の実施の形態における加熱調理器の外観斜視図
【図２】本発明の第１の実施の形態における加熱調理器のトッププレートユニットの平面図
【図３】本発明の第１の実施の形態における加熱調理器のトッププレートユニットの裏面の平面図
【図４】本発明の第１の実施の形態における加熱調理器のトッププレートユニットの要部拡大平面図
【図５】本発明の第１の実施の形態における加熱調理器のトッププレートユニットを外した斜視図
【図６】本発明の第１の実施の形態における加熱調理器の操作部ユニットの斜視図
【図７】本発明の第１の実施の形態における加熱調理器の操作部ユニットの斜視図
【図８】本発明の第１の実施の形態における加熱調理器の操作基板ユニットとバックライトユニットの斜視図
【図９】本発明の第１の実施の形態における加熱調理器の操作基板ユニットとバックライトユニットの斜視図
【図１０】本発明の第１の実施の形態における加熱調理器のバックライトユニットの斜視図
【図１１】本発明の第１の実施の形態における加熱調理器のバックライトユニットの斜視図
【図１２】本発明の第１の実施の形態における加熱調理器のバックライトユニットの斜視図
【図１３】本発明の第１の実施の形態における加熱調理器のバックライトユニットの斜視図
【図１４】本発明の第１の実施の形態における加熱調理器のバックライトユニットの断面図
【図１５】本発明の第１の実施の形態における加熱調理器のバックライトユニットの要部拡大断面図
【図１６】本発明の第２の実施の形態における加熱調理器のバックライトユニットの斜視図
【図１７】本発明の第２の実施の形態における加熱調理器のバックライトユニットの断面図
【図１８】本発明の第２の実施の形態における加熱調理器のバックライトユニットの要部拡大断面図
【図１９】本発明の第３の実施の形態における加熱調理器のバックライトユニットの断面図
【図２０】本発明の第３の実施の形態における加熱調理器のバックライトユニットの要部拡大断面図
【図２１】従来の加熱調理器の断面図
【図２２】従来の加熱調理器の操作部の要部拡大平面図
【符号の説明】
【００７２】
４１  トッププレートユニット
４１Ａ、４１Ｂ、４１Ｃ  加熱部
４１Ｄ  上面操作部
４５  電極印刷
４５Ａ  接触部４５Ａ
４５Ｂ  導伝部
４５Ｃ  導伝部
４５Ｄ  感触部
４５Ｅ  印刷抜きの枠部
４５Ｆ  文字部
４６  外郭
４７Ａ、４７Ｂ、４７Ｃ  加熱コイル
４８  操作部ユニット
４９Ａ、４９Ｂ、４９Ｃ  表示シート
５０  バックライトユニット
５１  操作部ケース５１
５２Ａ、５２Ｂ  表示基板
５３Ａ、５３Ｂ、５３Ｃ  ホルダー
５４  接点端子
５３Ａ−１  ボス
５０−１  穴
５３Ａ−２  爪イ
５０−２  爪ロ
５５  保護枠
５６Ａ、５６Ｂ  導光体
５７Ａ  発光素子
５７  発光基板５７
５８  反射シート
５６Ａ−１、５６Ｂ−１  縦壁
５６Ａ−２、５６Ｂ−２  斜面
５６Ａ−３、５６Ｂ−３  天面部
５９  面状発光部
【図１】
2010091189.tif 000003
【図２】
2010091189.tif 000004
【図３】
2010091189.tif 000005
【図４】
2010091189.tif 000006
【図５】
2010091189.tif 000007
【図６】
2010091189.tif 000008
【図７】
2010091189.tif 000009
【図８】
2010091189.tif 000010
【図９】
2010091189.tif 000011
【図１０】
2010091189.tif 000012
【図１１】
2010091189.tif 000013
【図１２】
2010091189.tif 000014
【図１３】
2010091189.tif 000015
【図１４】
2010091189.tif 000016
【図１５】
2010091189.tif 000017
【図１６】
2010091189.tif 000018
【図１７】
2010091189.tif 000019
【図１８】
2010091189.tif 000020
【図１９】
2010091189.tif 000021
【図２０】
2010091189.tif 000022
【図２１】
2010091189.tif 000023
【図２２】
2010091189.tif 000024